(57)【特許請求の範囲】
【請求項１】
電話の利用者ごとの電話番号、その他のその利用者に関連する関連情報を記録した電話帳と、
この電話帳の前記その他のその利用者に関連する関連情報の中から利用者に関係する通信ネットワーク上の特定位置を表わした位置情報を抽出する位置情報抽出手段と、
前記通信ネットワーク上のアクセスの対象としての位置情報をそれぞれブックマークとして予め登録したブックマーク登録手段と、
前記位置情報抽出手段によって抽出した位置情報と前記ブックマーク登録手段に予め登録したブックマークとをリンクさせる位置情報ブックマークリンク手段
とを具備することを特徴とする携帯電話端末。
【請求項２】
電話の利用者ごとの電話番号、その他のその利用者に関連する関連情報を記録した電話帳と、
この電話帳の前記その他のその利用者に関連する関連情報の中から利用者に関係する通信ネットワーク上の特定位置を表わした位置情報を抽出する位置情報抽出手段と、
前記通信ネットワーク上のアクセスの対象としての位置情報をそれぞれブックマークとして予め登録したブックマーク登録手段と、
前記位置情報抽出手段によって抽出した位置情報のすべてをブックマーク登録手段によって登録された位置情報と照合する位置情報照合手段と、
この位置情報照合手段によって照合した前記位置情報抽出手段によって抽出された位置情報の中で前記ブックマークとして登録されていないものを選択してブックマーク登録手段に登録する位置情報登録手段
とを具備することを特徴とする携帯電話端末。
【請求項３】
前記位置情報登録手段は、前記ブックマークとして登録されていないものすべてを一括して登録することを特徴とする請求項２記載の携帯電話端末。
【請求項４】
電話の利用者ごとの電話番号、その他のその利用者に関連する関連情報を記録した電話帳と、
この電話帳の前記その他のその利用者に関連する関連情報の中から利用者に関係する通信ネットワーク上の特定位置を表わした位置情報を抽出する位置情報抽出手段と、
前記通信ネットワーク上のアクセスの対象としての位置情報をそれぞれブックマークとして予め登録したブックマーク登録手段と、
このブックマーク登録手段に登録されたブックマークを表示するブックマーク表示手段と、
前記位置情報抽出手段によって抽出した位置情報のすべてをブックマーク登録手段によって登録された位置情報と照合する位置情報照合手段と、
この位置情報照合手段によって照合した前記位置情報抽出手段によって抽出された位置情報の中で前記ブックマークとして登録されていないものを前記ブックマーク登録手段によって登録された位置情報と区別した領域に表示する電話帳内位置情報表示手段
とを具備することを特徴とする携帯電話端末。
【請求項５】
前記電話帳内位置情報表示手段によって表示された位置情報のいずれかが選択されたときその位置情報の示す通信ネットワーク上の位置にアクセスする電話帳内位置アクセス手段を具備することを特徴とする請求項４記載の携帯電話端末。
【請求項６】
電話の利用者ごとの電話番号、その他のその利用者に関連する関連情報を記録した電話帳と、
この電話帳の前記その他のその利用者に関連する関連情報の中から利用者に関係する通信ネットワーク上の特定位置を表わした位置情報を抽出する位置情報抽出手段と、
前記通信ネットワーク上のアクセスの対象としての位置情報をそれぞれブックマークとして予め登録したブックマーク登録手段と、
このブックマーク登録手段に登録されたブックマークを表示するブックマーク表示手段と、
前記位置情報抽出手段によって抽出した位置情報のすべてをブックマーク登録手段によって登録された位置情報と照合する位置情報照合手段と、
この位置情報照合手段によって照合した前記位置情報抽出手段によって抽出された位置情報の中で前記ブックマークとして登録されているものがある場合、前記ブックマーク表示手段によって表示されるブックマークにその旨の関連付け表示を行う関連付け表示手段
とを具備することを特徴とする携帯電話端末。
【請求項７】
電話の利用者ごとの電話番号、その他のその利用者に関連する関連情報を記録した電話帳と、
この電話帳の前記その他のその利用者に関連する関連情報の中から利用者に関係する通信ネットワーク上の特定位置を表わした位置情報を抽出する位置情報抽出手段と、
前記通信ネットワーク上のアクセスの対象としての位置情報をそれぞれブックマークとして予め登録したブックマーク登録手段と、
前記電話帳の内容を表示する電話帳表示手段と、
この電話帳表示手段で表示した電話帳の内容に前記位置情報が含まれているとき前記ブックマーク登録手段によって登録された位置情報と照合する位置情報照合手段と、
この位置情報照合手段によって照合した位置情報の中で前記ブックマークとして登録されているものがある場合、前記電話帳表示手段によって表示される位置情報にブックマークとの関連付け表示を行う関連付け表示手段
とを具備することを特徴とする携帯電話端末。
【請求項８】
前記関連付け表示は、電話帳とブックマークの間の関連付けを示すアイコンや文字あるいは記号であることを特徴とする請求項６または請求項７記載の携帯電話端末。
【請求項９】
電話帳に記録された電話の利用者ごとの関連情報の中から利用者に関係する通信ネットワーク上の特定位置を表わした位置情報を抽出する位置情報抽出ステップと、
この位置情報抽出ステップによって抽出した位置情報のすべてを、前記通信ネットワーク上でアクセスの対象となるブックマークとしての位置情報と照合する位置情報照合ステップと、
この位置情報照合ステップによって照合した位置情報の中で前記ブックマークとして登録されていないものを選択してブックマークに追加登録する位置情報登録ステップ
とを具備することを特徴とする携帯電話端末のブックマーク追加登録方法。
【請求項１０】
電話帳に記録された電話の利用者ごとの関連情報の中から利用者に関係する通信ネットワーク上の特定位置を表わした位置情報を抽出する位置情報抽出ステップと、
この位置情報抽出ステップによって抽出した位置情報のすべてを、前記通信ネットワーク上でアクセスの対象となるブックマークとしての位置情報と照合する位置情報照合ステップと、
この位置情報照合ステップによって照合した位置情報の中で前記ブックマークとして登録されていないものを選択してブックマークを表示する欄と区別して前記通信ネットワークにアクセス可能な位置情報として表示する電話帳内位置情報表示ステップ
とを具備することを特徴とする携帯電話端末のブックマーク類似情報表示方法。
【発明の詳細な説明】
【技術分野】
【０００１】
本発明は、携帯電話端末、携帯電話端末のブックマーク追加登録方法およびブックマーク類似情報表示方法に係わり、特にインターネット等の通信ネットワークへのアクセスを容易にすることのできる携帯電話端末、携帯電話端末のブックマーク追加登録方法およびブックマーク類似情報表示方法に関する。
【背景技術】
【０００２】
携帯電話機やＰＨＳ（Personal Handy-phone System）等の小型で電話機能を備えた携帯電話端末は、その機能の高度化と共にインターネット等の通信ネットワークへのアクセスが可能になっているものが多い。特に最近では携帯電話端末用に特別にアレンジしたウエブサイトだけに限定せず、オフィスや家庭のコンピュータでアクセス可能なウエブサイトへ同様にアクセスすることのできるブラウザを備えた携帯電話端末が普及している。
【０００３】
ところで、インターネットには無数に近い情報発信源としてのウエブサイトが存在し、それぞれがＵＲＬ（Uniform Resource Locator）によってアドレスを特定されている。したがって、携帯電話端末のユーザが新たなウエブサイトの閲覧を行う場合には、検索エンジンを使用してキーワードの入力によって該当するウエブサイトを探してアクセスするか、該当するウエブサイトのアドレスとしてのＵＲＬを直接入力する必要がある。このような作業を同一のウエブサイトのアクセスのたびに繰り返すのは非常に煩雑である。そこで、ブックマーク（bookmark）という「しおり」に相当する機能が携帯電話端末にも備えられている（たとえば特許文献１参照）。ブックマークにそれぞれのＵＲＬをこれらの内容を簡潔に表わしたタイトルと共に登録しておくと、次にアクセスするときにタイトルからＵＲＬを選択するだけで、所望のウエブサイトに簡単にアクセスすることができる。
【特許文献１】特開２００３−３３３２０８号公報（第００２１段落、図３）
【発明の開示】
【発明が解決しようとする課題】
【０００４】
このようにブックマークの一覧を登録する機能を備えた携帯電話端末が登場する一方で、携帯電話機に付属する電話帳にも管理項目の１つとしてＵＲＬが挙げられることが多くなっている。そこで、ブックマークとして登録したＵＲＬを電話帳に登録することが提案されている。
【０００５】
図１４は、この提案を説明するためのものである。たとえばＵＲＬが「ｈｔｔｐ：／／ｘｘｘｘ．ｘｘｘ．ｘｘ」のウエブサイトのコンテンツのタイトルが「ＢＡ」であったとする。このウエブサイトをブックマーク（Ｂｏｏｋｍａｒｋ）の一覧３０１の１番目に登録しているものとする。このＵＲＬがたとえば「電話一郎」の個人のホームページであったとすると、従来の提案では電話帳３０２における「電話一郎」のページのＵＲＬに関する情報を記載する箇所にこれを電子的に転記３０３するというものである。
【０００６】
ところが、インターネットに接続するとき、ユーザの多くはブラウザを立ち上げてそのブックマークからインターネットの所望のウエブサイトにアクセスする。したがって、この図１４に示す提案で電話帳のデータが豊富化する点に利点はあるものの、この提案はブックマークを用いてインターネットにアクセスするという通常の手法での利点は少ない。むしろ、電話帳に個々に書き込まれたＵＲＬをブックマークの方で一括して利用できることの方がインターネットのアクセスには利点が大きい。
【０００７】
そこで本発明の目的は、電話帳に書き込まれたＵＲＬに関する情報とブックマークとして登録した位置情報を相互に活用することのできる携帯電話端末、携帯電話端末のブックマーク追加登録方法およびブックマーク類似情報表示方法を提供することにある。
【課題を解決するための手段】
【０００８】
本発明では、（イ）電話の利用者ごとの電話番号、その他のその利用者に関連する関連情報を記録した電話帳と、（ロ）この電話帳の前記したその他のその利用者に関連する関連情報の中から利用者に関係する通信ネットワーク上の特定位置を表わした位置情報を抽出する位置情報抽出手段と、（ハ）通信ネットワーク上のアクセスの対象としての位置情報をそれぞれブックマークとして予め登録したブックマーク登録手段と、（ニ）位置情報抽出手段によって抽出した位置情報とブックマーク登録手段に予め登録したブックマークとをリンクさせる位置情報ブックマークリンク手段とを携帯電話端末に具備させる。
【００１０】
また、本発明では、（イ）電話の利用者ごとの電話番号、その他のその利用者に関連する関連情報を記録した電話帳と、（ロ）この電話帳の前記したその他のその利用者に関連する関連情報の中から利用者に関係する通信ネットワーク上の特定位置を表わした位置情報を抽出する位置情報抽出手段と、（ハ）通信ネットワーク上のアクセスの対象としての位置情報をそれぞれブックマークとして予め登録したブックマーク登録手段と、（ニ）位置情報抽出手段によって抽出した位置情報のすべてをブックマーク登録手段によって登録された位置情報と照合する位置情報照合手段と、（ホ）この位置情報照合手段によって照合した位置情報抽出手段によって抽出された位置情報の中でブックマークとして登録されていないものを選択してブックマーク登録手段に登録する位置情報登録手段とを携帯電話端末に具備させる。
【００１２】
また、本発明では、（イ）電話の利用者ごとの電話番号、その他のその利用者に関連する関連情報を記録した電話帳と、（ロ）この電話帳の前記したその他のその利用者に関連する関連情報の中から利用者に関係する通信ネットワーク上の特定位置を表わした位置情報を抽出する位置情報抽出手段と、（ハ）通信ネットワーク上のアクセスの対象としての位置情報をそれぞれブックマークとして予め登録したブックマーク登録手段と、（ニ）このブックマーク登録手段に登録されたブックマークを表示するブックマーク表示手段と、（ホ）位置情報抽出手段によって抽出した位置情報のすべてをブックマーク登録手段によって登録された位置情報と照合する位置情報照合手段と、（へ）この位置情報照合手段によって照合した位置情報抽出手段によって抽出された位置情報の中でブックマークとして登録されていないものをブックマーク登録手段によって登録された位置情報と区別した領域に表示する電話帳内位置情報表示手段とを携帯電話端末に具備させる。
【００１４】
また、本発明では、（イ）電話の利用者ごとの電話番号、その他のその利用者に関連する関連情報を記録した電話帳と、（ロ）この電話帳の前記したその他のその利用者に関連する関連情報の中から利用者に関係する通信ネットワーク上の特定位置を表わした位置情報を抽出する位置情報抽出手段と、（ハ）通信ネットワーク上のアクセスの対象としての位置情報をそれぞれブックマークとして予め登録したブックマーク登録手段と、（ニ）このブックマーク登録手段に登録されたブックマークを表示するブックマーク表示手段と、（ホ）位置情報抽出手段によって抽出した位置情報のすべてをブックマーク登録手段によって登録された位置情報と照合する位置情報照合手段と、（へ）この位置情報照合手段によって照合した位置情報抽出手段によって抽出された位置情報の中でブックマークとして登録されているものがある場合、ブックマーク表示手段によって表示されるブックマークにその旨の関連付け表示を行う関連付け表示手段とを携帯電話端末に具備させる。
【００１６】
また、本発明では、（イ）電話の利用者ごとの電話番号、その他のその利用者に関連する関連情報を記録した電話帳と、（ロ）この電話帳の前記したその他のその利用者に関連する関連情報の中から利用者に関係する通信ネットワーク上の特定位置を表わした位置情報を抽出する位置情報抽出手段と、（ハ）通信ネットワーク上のアクセスの対象としての位置情報をそれぞれブックマークとして予め登録したブックマーク登録手段と、（ニ）電話帳の内容を表示する電話帳表示手段と、（ホ）この電話帳表示手段で表示した電話帳の内容に位置情報が含まれているときブックマーク登録手段によって登録された位置情報と照合する位置情報照合手段と、（へ）この位置情報照合手段によって照合した位置情報の中でブックマークとして登録されているものがある場合、電話帳表示手段によって表示される位置情報にブックマークとの関連付け表示を行う関連付け表示手段とを具備するこ携帯電話端末に具備させる。
【００１８】
また、本発明では、（イ）電話帳に記録された電話の利用者ごとの関連情報の中から利用者に関係する通信ネットワーク上の特定位置を表わした位置情報を抽出する位置情報抽出ステップと、（ロ）この位置情報抽出ステップによって抽出した位置情報のすべてを、通信ネットワーク上でアクセスの対象となるブックマークとしての位置情報と照合する位置情報照合ステップと、（ハ）この位置情報照合ステップによって照合した位置情報の中でブックマークとして登録されていないものを選択してブックマークに追加登録する位置情報登録ステップとを携帯電話端末のブックマーク追加登録方法に具備させる。
【００２０】
また、本発明では、（イ）電話帳に記録された電話の利用者ごとの関連情報の中から利用者に関係する通信ネットワーク上の特定位置を表わした位置情報を抽出する位置情報抽出ステップと、（ロ）この位置情報抽出ステップによって抽出した位置情報のすべてを、通信ネットワーク上でアクセスの対象となるブックマークとしての位置情報と照合する位置情報照合ステップと、（ハ）この位置情報照合ステップによって照合した位置情報の中でブックマークとして登録されていないものを選択してブックマークを表示する欄と区別して通信ネットワークにアクセス可能な位置情報として表示する電話帳内位置情報表示ステップとを具備する携帯電話端末のブックマーク類似情報表示方法に具備させる。
【発明の効果】
【００２２】
以上説明したように本発明によれば、電話帳として記録される利用者に関する通信ネットワークの位置情報と、ブックマークとの連携を図ることにより、ブックマークの充実化を図ると共に、ブックマークとして手入力で登録する労力の負担軽減を図ることができる。更にブックマークとして多数並んだ位置情報の中からこれらを選択してアクセスする際の参考にしたり、電話帳として記録される利用者に関する通信ネットワークの位置情報の中からブックマークに登録すべきものを簡単に選ぶことができる。また、本発明によれば、ブックマーク側からも電話帳側からもウエブ上の必要な位置に簡単かつ確実にアクセスすることができる。
【発明を実施するための最良の形態】
【００２３】
以下実施例につき本発明を詳細に説明する。
【実施例１】
【００２４】
図１は本発明の一実施例における携帯電話端末の回路構成の概要を表わしたものである。この携帯電話端末１００は、ＣＰＵ（中央処理装置）１０１と、制御プログラムを格納したＲＯＭ（リード・オンリ・メモリ）１０２と、作業用メモリとしてのＲＡＭ（ランダム・アクセス・メモリ）１０３を備えた制御部１０４を有している。制御部１０４は、アンテナ１０５を付属させた無線部１０６と接続されている。また、制御部１０４は、携帯電話端末の一般的な回路部品としての図示しないマイクロフォンを備えた送話部１０７、図示しないスピーカを備えた受話部１０８、着信音等の音を出力するための比較的大型のスピーカ１０９、液晶ディスプレイ等のディスプレイからなる表示部１１０、テンキー等の各種キースイッチを配置した操作部１１１および記憶装置１１２を接続している。また、無線部１０６および制御部１０４に主として電源を供給する電源部１１４が用意されている。ここで、記憶装置１１２は不揮発性メモリで構成されており、電話帳に関する情報を格納する電話帳情報記憶部１１６とブックマークを記憶するブックマーク記憶部１１７が格納されている。
【００２５】
本実施例の携帯電話端末１００は、電話帳情報記憶部１１６から電話帳を呼び出して電話を掛けることができる。またブックマーク記憶部１１７からブックマークの一覧を呼び出して所望のブックマークのＵＲＬにアクセスすることができる。更に携帯電話端末１００は、電話帳に記したＵＲＬとそのコンテンツのタイトルをブックマークに登録するＵＲＬ登録処理を実行することができる。
【００２６】
図２は、ＵＲＬ登録処理の流れを示したものである。図１と共に説明を行う。このＵＲＬ登録処理では、電話帳に登録されている特定のＵＲＬを指定してブックマークに登録するようになっている。まず、携帯電話端末１００にメニュー画面が表示されている状態で（ステップＳ２０１）、ユーザは電話帳を使用するモードを選択する（ステップＳ２０２：Ｙ）。これとは異なり、たとえばメールの作成のような他の項目を選択した場合には（ステップＳ２０２：Ｎ、ステップＳ２０３：Ｙ）、その項目の処理が実行される（ステップＳ２０４）。
【００２７】
一方、電話帳が選択された場合には（ステップＳ２０２：Ｙ）、その中の幾つかの選択肢が表示され、ユーザはその１つを選択することができる。たとえば、新規登録や、電話帳の検索、電話帳の一覧といった選択肢が表示される。ユーザはこの場合、ブックマークの登録を選択する（ステップＳ２０５：Ｙ）。他の項目を選択した場合には（ステップＳ２０５：Ｎ、ステップＳ２０６：Ｙ）、その項目の処理が実行される（ステップＳ２０４）。
【００２８】
ブックマークの登録を選択した場合には（ステップＳ２０５：Ｙ）、表示部１１０に電話帳一覧の表示が行われる（ステップＳ２０７）。ここでユーザはＵＲＬをブックマークにコピー（転記）したい電話帳の特定の氏名を選択する（ステップＳ２０８：Ｙ）。すると、その者の名前とＵＲＬとが電話帳情報記憶部１１６から読み出され、ＲＡＭ１０３に格納されると共に表示部１１０に表示される（ステップＳ２０９）。これと共に、ＣＰＵ（中央処理装置）１０１はブックマーク記憶部１１７に記憶されているすべてのＵＲＬを読み出して同様にＲＡＭ１０３に格納する（ステップＳ２１０）。そして、この読み出したＵＲＬのいずれかがステップＳ２０９で表示されたＵＲＬと一致するか否かを判別する（ステップＳ２１１）。そして、一致する場合には（Ｙ）、すでにブックマーク記憶部１１７にそのＵＲＬが登録されているので表示部１１０に登録が不要である旨の表示を行って（ステップＳ２１２）、ブックマークへの登録処理を終了させる（エンド）。
【００２９】
一方、ステップＳ２１１で電話帳で特定したＵＲＬがブックマーク記憶部１１７のＵＲＬのいずれにも一致しなかった場合には（ステップＳ２１１：Ｎ）、そのＵＲＬを重複しない状態で登録することができる。そこで、表示部１１０には「このＵＲＬを登録しますか」といった登録の実行を確認する表示が行われる（ステップＳ２１３）。ここでユーザが登録を指示すると（ステップＳ２１４：Ｙ）、そのＵＲＬをタイトルと共にブックマーク記憶部１１７に登録することになる（ステップＳ２１５）。ここで「タイトル」とは一般にはサイト名あるいはコンテンツを表わした名称そのものであるが、これを適宜短縮したり、ユーザ側でわかりやすい名前に付け替えることも一般に行われている。
【００３０】
これに対して、ユーザがそのＵＲＬをブックマークに登録する必要がないと判断したときには（ステップＳ２１４：Ｎ、ステップＳ２１６：Ｙ）、ブックマーク記憶部１１７に登録することなく、処理が終了する（エンド）。
【００３１】
図３は、このＵＲＬ登録処理による電話帳の要部とＵＲＬ情報が表示部に表示されている状態を表わしたものである。電話帳１２１の中の特定の氏名として「電話一郎」を選択したとする（図２ステップＳ２０８：Ｙ）。すると、その「電話一郎」に関する電話帳情報１２２Ａの中のＵＲＬおよびそのタイトルを表わした情報１２３Ａがブックマーク記憶部１１７（図１）側にコピー１２５される。この前提として、ブックマークの一覧１２４に同一のＵＲＬが登録されていないことが必要となる。この結果、図３に示すようにブックマークの一覧１２４を表示部１１０に表示すると、従来から登録されている上から３番目のＵＲＬのタイトルの下に、４番目として「電話一郎」の電話帳情報１２２ＡからコピーしたＵＲＬのタイトル「ＢＡ」が表示されることになる。したがって、ユーザは電話帳１２１から個人や会社の名前をキーとして所望のＵＲＬに辿り着いてそのウエブサイトにアクセスできる他、ブックマークの一覧１２４を表示して、その中に示されているタイトルから所望のウエブサイトにアクセスすることも可能になる。
【００３２】
図４は、以上と異なり、ユーザが電話帳にのみ存在するＵＲＬをブックマーク記憶部側に一括して登録する処理の流れを表わしたものである。たとえば、電話帳１２１のバックアップをとっていたものを新しい携帯電話端末にコピーしたとき、この新しい携帯電話端末側でブックマークの一覧を簡易に作成するときに重宝となる。また、既存の電話帳をカメラや１次元イメージセンサを使用したスキャナで読み取って電話帳として携帯電話端末に使用する場合には、この電話帳に含まれているＵＲＬ情報を抜き出してブックマークに登録することで、ブックマークの一覧１２４を簡単に作成することができる。もちろん、電話帳１２１の内容を追加していったときに、この一括登録処理を適宜の時間を置いて行うことで新しく追加されたＵＲＬのみを簡易にブックマーク記憶部１１７に追加登録することができる。
【００３３】
この図４で図２と同一部分には同一の符号を付しており、これらの説明を適宜省略する。ユーザは、メニュー画面から電話帳を選択し（ステップＳ２０２：Ｙ）、更にその中からブックマークの一括登録の処理を選択する（ステップＳ２２１：Ｙ）。すると、図１に示したＣＰＵ１０１は電話帳情報記憶部１１６から電話帳に格納されているすべてのＵＲＬとこれらのタイトルを読み出して（ステップＳ２２２）、これらをＲＡＭ１０３に格納する。次にＣＰＵ１０１はブックマーク記憶部１１７内のすべてのＵＲＬの読み出しを行い、同様にＲＡＭ１０３に格納する（ステップＳ２１０）。このようにしてＲＡＭ１０３に電話帳とブックマークのＵＲＬの一覧が格納されたら、これらが対比されて電話帳側にのみ存在するＵＲＬが抽出される（ステップＳ２２３）。そして、これらのＵＲＬをブックマークとしてブックマーク記憶部１１７に追加登録することになる（ステップＳ２１５）。
【００３４】
図５は、図３に対応するもので、ＵＲＬ一括登録処理による電話帳の要部とＵＲＬ情報が表示部に表示されている状態を表わしたものである。この例では、一括登録の前に、ブックマークの一覧１２４として、１番目から３番目のタイトルのみが表示されていたものとする。この状態でブックマークの一括登録を行うものとする。電話帳１２１には、「電話一郎」、「電話二郎」、「電話三郎」のそれぞれの電話帳情報１２２Ａ、１２２Ｂ、１２２Ｃの中にＵＲＬおよびそのタイトルを表わした情報１２３Ａ、１２３Ｂ、１２３Ｃが含まれているものとする。この場合、電話帳１２１からＵＲＬおよびそのタイトルを表わした情報１２３Ａ、１２３Ｂ、１２３Ｃをブックマーク記憶部１１７（図１）側にコピー１２５する。すると、図５に示すようにブックマークの一覧１２４には、４番目から６番目としてＵＲＬのタイトル「ＢＡ」、「ＢＢ」、「ＢＣ」がそれぞれ表示されることになる。
【００３５】
なお、この電話帳にのみ存在するＵＲＬをブックマーク記憶部側に一括して登録する処理では、図４のステップＳ２０２で電話帳を選択して表示する処理は必ずしも必要としない。すなわち、メニュー画面から電話帳のＵＲＬおよびそのコンテンツのタイトルを表わした情報をブックマーク記憶部１１７に追加登録する処理をユーザに選択させるだけで、直ちにこれらの追加登録が行えるようにしてもよい。
【００３６】
以上説明したように本実施例によれば、既存の情報からＵＲＬに関する情報を抜き出して、ブックマークの新規作成や追加登録が可能になり、いちいちブックマークを手入力する必要がない。したがって、入力の手間を大幅に削減することができるだけでなく、手入力による入力ミスの発生を回避することができる。
【００３７】
＜発明の第１の変形例＞
【００３８】
以上説明した実施例では、ブックマークの一覧１２４に登録されていないＵＲＬに関する情報を電話帳に登録されているＵＲＬに関する情報から追加登録することにした。本発明の第１の変形例では、電話帳に登録されているＵＲＬに関する情報をブックマークとして登録されているＵＲＬに関する情報に併せて統合された形で表示し、より多くのＵＲＬに簡単にアクセスできるようにしている。
【００３９】
図６は、この第１の変形例におけるＵＲＬの統合表示処理の流れを表わしたものである。この図６で図２および図４と同一部分には同一の符号を付しており、これらの説明を適宜省略する。ユーザは表示部１１０にメニュー画面を表示した状態でＵＲＬ統合表示選択という特別の項目を選択すると（ステップＳ２４１：Ｙ）、ＣＰＵ１０１が図１に示した電話帳情報記憶部１１６から電話帳に格納されているすべてのＵＲＬとこれらのタイトルを読み出す（ステップＳ２２２）。次にＣＰＵ１０１はブックマーク記憶部１１７内のすべてのＵＲＬの読み出しを行い（ステップＳ２１０）、これらを比較することで電話帳側にのみ存在するＵＲＬが抽出される（ステップＳ２２３）。ＣＰＵ１０１は、このようにして得られた電話帳側にのみ存在するＵＲＬを表示部１１０におけるブックマークとは別の領域に表示する（ステップＳ２４２）。
【００４０】
図７は、図３あるいは図５に対応するもので、統合表示処理によるブックマークと電話帳のＵＲＬ情報が表示部に表示されている状態を表わしたものである。この例では、統合表示処理として、表示部１１０におけるブックマークのＵＲＬの一覧１２４の下に「電話帳登録有り」という注記１３１が表示され、その下にＵＲＬのタイトル「ＢＡ」、「ＢＢ」、「ＢＣ」が４番目から６番目のＵＲＬ情報として表示される。これらは、電話帳１２１からＵＲＬおよびそのタイトルを表わした情報１２３Ａ、１２３Ｂ、１２３Ｃをブックマークとの統合表示のために表示部１１０に追加的に表示したものである。
【００４１】
以上のようなＵＲＬ情報の統合表示処理は、ユーザがブックマークを用いてインターネットにアクセスしようとしているときにも行うことができる。これを図６に戻って説明する。ユーザがメニュー画面からブックマークの一覧の表示を行わせる項目を指示すると（ステップＳ２４３：Ｙ）、表示部１１０にブックマークの一覧が一覧表示１３２として表示される（ステップＳ２４４）。
【００４２】
図８は、このときの表示部の表示内容の一例を表わしたものである。表示部１１０には、ブックマークとして登録されているＵＲＬ情報が表示される他、電話帳に記載されているＵＲＬ情報も表示するかどうかの問い合わせ１３３が表示される。ユーザがこれを見て電話帳のＵＲＬ情報の追加表示を要求すると（図６ステップＳ２４５：Ｙ）、ステップＳ２２２に処理が進み、ステップＳ２４２で図７に示したような統合表示処理によってブックマークと電話帳のＵＲＬのタイトルが表示部に表示されることになる。
【００４３】
このように本発明の第１の変形例では、ブックマークに登録されていると勘違いしていたようなＵＲＬ情報を、電話帳に処理を移行することなく簡単に呼び出すことができ、これを用いて所望のウエブサイトに迅速にアクセスすることができる。そして、その結果、再度訪れる可能性が高いウエブサイトであれば、この時点で通常の手法でブックマークに登録することができる。したがって、ブックマークとして厳選した内容を登録することができるという利点が生じる。
【００４４】
＜発明の第２の変形例＞
【００４５】
ところで、ブックマークに登録されているウエブサイトが電話帳に登録されている個人や会社に関するものであるかを調べたい場合や、反対に電話帳に個人や会社のＵＲＬが記入されているときにそれをブックマークとして登録しているかを知りたいときがある。本発明の第２の変形例では、このような場合に対応できるようになっている。
【００４６】
図９は、電話帳に記入されているＵＲＬがブックマークとしても登録されている場合の電話帳の一例を示したものである。電話帳１２１の「電話一郎」に関する電話帳情報１２２Ａの中に、ＵＲＬおよびそのタイトルを表わした情報１２３Ａが存在する場合には、そのＵＲＬがブックマークとして登録されていることを条件として、ブックマーク登録有り情報１４１Ａが付加されている。ブックマーク登録有り情報１４１Ａは、専用のブックマーク登録済みアイコン１４２で表わされるので、「Ｂｏｏｋｍａｒｋ（ブックマーク）登録有り」という説明文は省略可能である。
【００４７】
図１０は、電話帳でこのような表示を可能とする携帯電話端末の処理の流れを表わしたものである。この図で図２と同一部分には同一の符号を付しており、これらの説明を適宜省略する。携帯電話端末１００にメニュー画面が表示されている状態で（ステップＳ２０１）、ユーザが電話帳にブックマークを併せて表示する電話帳ブックマーク表示の項目を選択すると（ステップＳ２６１：Ｙ）、ＣＰＵ１０１は電話帳情報記憶部１１６の内容をＲＡＭ１０３に読み出し（ステップＳ２６２）、続いてブックマーク記憶部１１７のすべてのＵＲＬをＲＡＭ１０３に読み出す（ステップＳ２１０）。
【００４８】
この状態でパラメータｎが“１”にセットされて（ステップＳ２６３）、電話帳の第ｎの電話ページにＵＲＬが記載されているとした場合にそのＵＲＬがブックマークとしてブックマーク記憶部１１７に登録されているかどうかを判別する（ステップＳ２６４）。登録されていれば（Ｙ）、その電話ページにブックマークの登録を示すアイコンとブックマーク登録有りの文章を付加して表示できる状態に変更する（ステップＳ２６５）。そして、パラメータｎを“１”だけ加算して（ステップＳ２６６）、現在のパラメータｎが電話帳の電話ページの最大値ｎMAXより多いかどうかをチェックする（ステップＳ２６７）。このチェックの結果、パラメータｎがｎMAX未満であれば（Ｎ）、ステップＳ２６４に進む。なお、ステップＳ２６４で電話帳の該当する電話ページにＵＲＬが記載されていない場合と、ＵＲＬが記載されていてもブックマークとして登録されていない場合には（Ｎ）、ステップＳ２６５の処理をスキップして直ちにステップＳ２６６の処理に進むことになる。
【００４９】
このようにして電話帳の最初の電話ページから順にＵＲＬが記載されている場合についてブックマークとして登録されているかどうかの処理を行う。そして、電話帳の最後の電話ページまでの処理が終了したら（ステップＳ２６７：Ｙ）、電話帳の内容を表示部１１０に表示することになる（ステップＳ２６８）。ここで、たとえばユーザが電話帳１２１の「電話一郎」のページを開くと、図９に示したような表示が行われることになる。
【００５０】
一方、ユーザがメニュー画面から通常の電話帳表示の項目を選択した場合には（ステップＳ２６９：Ｙ）、ＣＰＵ１０１は電話帳情報記憶部１１６の内容をＲＡＭ１０３に読み出し（ステップＳ２７０）、ステップＳ２６８に進んで電話帳の表示が行われる。この場合、たとえばユーザが電話帳１２１の「電話一郎」のページを開いてもブックマーク登録済みアイコン１４２が表示されたり、「Ｂｏｏｋｍａｒｋ登録有り」という説明文が表示されることはない。
【００５１】
図１１は、図１０のステップＳ２０３の中の一項目としてブックマーク電話帳表示の項目を選択した場合の処理の流れを表わしたものである。ここでブックマーク電話帳表示とは、ブックマークを表示部１１０に表示しているときに電話帳にも登録されているＵＲＬについてはその旨の表示を行うようにしたものをいう。この図で図２および図１０と同一部分には同一の符号を付しており、これらの説明を適宜省略する。携帯電話端末１００にメニュー画面が表示されている状態で（ステップＳ２０１）、ユーザがブックマーク電話帳表示を選択すると（ステップＳ２８１：Ｙ）、ＣＰＵ１０１は電話帳情報記憶部１１６の内容をＲＡＭ１０３に読み出し（ステップＳ２６２）、続いてブックマーク記憶部１１７のすべてのＵＲＬをＲＡＭ１０３に読み出す（ステップＳ２１０）。
【００５２】
この状態でパラメータｍが“１”にセットされて（ステップＳ２８２）、ブックマーク記憶部１１７に記憶されている第ｍ番目のブックマーク（第ｍのブックマーク）のＵＲＬが電話帳のいずれかに記載されているかどうかのチェックが行われる（ステップＳ２８３）。記載されていなければ（Ｎ）、パラメータｍが“１”だけカウントアップされて（ステップＳ２８４）、現在のパラメータｍが電話帳のページの最大値ｍMAXを超えているかどうかをチェックする（ステップＳ２８５）、超えていなければ（Ｎ）、ステップＳ２８３に進む。
【００５３】
第ｍのブックマークのＵＲＬが電話帳のいずれかに記載されている場合には（ステップＳ２８３：Ｙ）、そのブックマークのＵＲＬ情報が電話帳にも記載されていることを示すアイコンが関連付けの表示のために付加される（ステップＳ２８６）。そして、ステップＳ２８４に進む。
【００５４】
このようにしてブックマークの一覧におけるの第１のブックマークから順に電話帳に対応するＵＲＬが記載されているかどうかを判別する処理が行われる。そして、ブックマークの最後までの処理が終了したら（ステップＳ２８５：Ｙ）、ブックマークの一覧を表示部１１０に表示することになる（ステップＳ２８７）。
【００５５】
なお、メニュー画面が表示されている状態で（ステップＳ２０１）、ブックマークを表示する通常の処理が指定された場合には（ステップＳ２８８：Ｙ）、ブックマーク記憶部１１７からブックマークが読み出されて（ステップＳ２８９）、ステップＳ２８７に進んでブックマークの一覧が表示部１１０に表示される。
【００５６】
図１２は、ブックマークの一覧において電話帳にＵＲＬが記載されているかどうかを表示した例を示したものである。この例では、第１および第４のブックマークのそれぞれのタイトルの脇にアイコン１５１が付加されている。したがって、これらのアイコン１５１の表示された第１および第４のブックマークに関しては、電話帳に電話番号やホームページを製作した本人あるいは法人の場合には担当者や関係者に関する事項が記載されていることが分かる。
【００５７】
＜発明の第２の変形例の変形例＞
【００５８】
図１３は、本発明の第２の変形例の更に変形例を示したものである。この変形例では、表示部１１０（図１）に表示されるブックマークの一覧１２４に電話帳登録が更に行われているものを電話帳ブックマーク登録一覧１６１として１つの領域にまとめてアイコン１５１と共に表示したものである。この表示形態は、図８に示した統合表示処理の表示内容と類似したものとなる。
【００５９】
なお、以上説明した変形例ではアイコンを使用して所定の事項が登録されていることを表示したが、表示部１１０で表示される文字の色を変えたり、背景色を変更したり、あるいは太字や網点等を使用した強調表示を行うことで同様の表示内容とすることも可能である。また、実施例および変形例ではブックマークから電話帳へのＵＲＬの登録について説明を行わなかったが、このような登録を電話帳からブックマークへの登録と併せて行うようにしてもよい。
【図面の簡単な説明】
【００６０】
【図１】本発明の一実施例における携帯電話端末の回路構成の概要を表わしたブロック図である。
【図２】本実施例でＵＲＬ登録処理の流れを示した流れ図である。
【図３】本実施例で電話帳の要部とＵＲＬ情報が表示部に表示されている状態を表わした説明図である。
【図４】本実施例でユーザが電話帳にのみ存在するＵＲＬをブックマーク記憶部側に一括して登録する処理を表わした流れ図である。
【図５】本実施例でＵＲＬ一括登録処理による電話帳の要部とＵＲＬ情報が表示部に表示されている状態を表わした説明図である。
【図６】本発明の第１の変形例におけるＵＲＬの統合表示処理の流れを表わした流れ図である。
【図７】第１の変形例で統合表示処理によるブックマークと電話帳のＵＲＬ情報が表示部に表示されている状態を表わした説明図である。
【図８】第１の変形例で統合表示処理へ以降可能なブックマークの表示形態を示した表示部の平面図である。
【図９】本発明の第２の変形例で電話帳に記入されているＵＲＬがブックマークとしても登録されている場合の電話帳の一例を示した平面図である。
【図１０】第２の変形例で電話帳にブックマークの有無を示す表示を行う携帯電話端末の処理を表わした流れ図である。
【図１１】第２の変形例でブックマーク電話帳表示の項目を選択した場合の処理を表わした流れ図である。
【図１２】第２の変形例でブックマークの一覧において電話帳にＵＲＬが記載されているかどうかを表示部に表示した平面図である。
【図１３】本発明の第２の変形例の変形例としてブックマークの一覧に電話帳のＵＲＬ情報を併せて表示した場合を示す平面図である。
【図１４】従来の提案でブックマークから電話帳に転記する様子を表わした説明図である。
【符号の説明】
【００６１】
１００  携帯電話端末
１０１  ＣＰＵ
１０２  ＲＯＭ
１０３  ＲＡＭ
１０４  制御部
１１０  表示部
１１１  操作部
１１２  記憶装置
１１６  電話帳情報記憶部
１１７  ブックマーク記憶部
１２１  電話帳
１２２  電話帳情報
１２３  ＵＲＬおよびそのタイトルを表わした情報
１２４  ブックマークの一覧
１４１  ブックマーク登録有り情報
１５１  アイコン
１６１  電話帳ブックマーク登録一覧
【図１】
0004529860.tif 000002
【図２】
0004529860.tif 000003
【図３】
0004529860.tif 000004
【図４】
0004529860.tif 000005
【図５】
0004529860.tif 000006
【図６】
0004529860.tif 000007
【図７】
0004529860.tif 000008
【図８】
0004529860.tif 000009
【図９】
0004529860.tif 000010
【図１０】
0004529860.tif 000011
【図１１】
0004529860.tif 000012
【図１２】
0004529860.tif 000013
【図１３】
0004529860.tif 000014
【図１４】
0004529860.tif 000015